(57)【要約】【課題】プラズマディスプレイパネルの強制初期化動作の回数を削減して黒輝度を抑えるとともに安定した書込み動作を行う。【解決手段】放電の履歴にかかわらず放電が発生する所定の電圧まで上昇する上り傾斜波形電圧を印加した後に下り傾斜波形電圧を印加する走査電極と所定の電圧よりも低い電圧まで上昇する上り傾斜波形電圧を印加した後に下り傾斜波形電圧を印加する走査電極とが存在する第１種サブフィールドと、下り傾斜波形電圧を走査電極に印加する第２種サブフィールドとを含み、第１種サブフィールドの初期化期間において走査電極に下り傾斜波形電圧を印加するとともにデータ電極に第１の電圧を印加し、第２種サブフィールドの初期化期間において走査電極に下り傾斜波形電圧を印加するとともにデータ電極に第１の電圧よりも高い第２の電圧を印加する。【選択図】図３
2012083532.tif 000002
【特許請求の範囲】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記フィールドは、前記初期化期間において、放電の履歴にかかわらず放電が発生する所定の電圧まで上昇する上り傾斜波形電圧を印加した後に再び放電が発生する電圧まで下降する下り傾斜波形電圧を印加する走査電極と、前記所定の電圧よりも低い電圧まで上昇する上り傾斜波形電圧を印加した後に下り傾斜波形電圧を印加する走査電極とが存在する第１種サブフィールドと、前記初期化期間において、直前のサブフィールドで書込み放電を発生した放電セルのみで放電が発生する電圧まで下降する下り傾斜波形電圧を前記走査電極に印加する第２種サブフィールドとを含み、
前記第１種サブフィールドの初期化期間において前記走査電極に下り傾斜波形電圧を印加するとともに前記データ電極に第１の電圧を印加し、前記第２種サブフィールドの初期化期間において前記走査電極に下り傾斜波形電圧を印加するとともに前記データ電極に前記第１の電圧よりも高い第２の電圧を印加することを特徴とするプラズマディスプレイパネルの駆動方法。
【請求項２】
前記第２種サブフィールドの初期化期間において前記走査電極に印加する下り傾斜波形電圧の到達電圧は、前記第１種サブフィールドの初期化期間において前記走査電極に印加する下り傾斜波形電圧の到達電圧よりも高いことを特徴とする請求項１に記載のプラズマディスプレイパネルの駆動方法。
【請求項３】
走査電極と維持電極とデータ電極とを有する放電セルを複数備えたプラズマディスプレイパネルと、初期化期間と書込み期間と維持期間とを有するサブフィールドを複数用いて１つのフィールドを構成するとともに駆動電圧波形を発生して前記プラズマディスプレイパネルの各電極に印加する駆動回路とを備えたプラズマディスプレイ装置であって、
前記駆動回路は、
前記初期化期間において、放電の履歴にかかわらず放電が発生する所定の電圧まで上昇する上り傾斜波形電圧を印加した後に再び放電が発生する電圧まで下降する下り傾斜波形電圧を印加する走査電極と、前記所定の電圧よりも低い電圧まで上昇する上り傾斜波形電圧を印加した後に下り傾斜波形電圧を印加する走査電極とが存在する第１種サブフィールドと、前記初期化期間において、直前のサブフィールドで書込み放電を発生した放電セルのみで放電が発生する電圧まで下降する下り傾斜波形電圧を前記走査電極に印加する第２種サブフィールドとで前記フィールドを構成し、
前記第１種サブフィールドの初期化期間において前記走査電極に下り傾斜波形電圧を印加するとともに前記データ電極に第１の電圧を印加し、前記第２種サブフィールドの初期化期間において前記走査電極に下り傾斜波形電圧を印加するとともに前記データ電極に前記第１の電圧よりも高い第２の電圧を印加して前記プラズマディスプレイパネルを駆動することを特徴とするプラズマディスプレイ装置。
【発明の詳細な説明】
【技術分野】
【０００１】
本発明は、交流面放電型のプラズマディスプレイパネルの駆動方法およびプラズマディスプレイ装置に関する。
【背景技術】
【０００２】
プラズマディスプレイパネル（以下、「パネル」と略記する）は、走査電極および維持電極からなる表示電極対とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間と書込み期間と維持期間とを有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作を行う。初期化動作は初期化放電を発生し、続く書込み動作に必要な壁電荷を形成する動作である。初期化動作には、直前のサブフィールドの動作にかかわらず初期化放電を発生させる強制初期化動作と、直前のサブフィールドで書込み放電を行った放電セルで初期化放電を発生させる選択初期化動作とがある。書込み動作は表示する画像に応じて放電セルで選択的に書込み放電を発生し壁電荷を形成する動作であり、維持動作は表示電極対に交互に維持パルスを印加して維持放電を発生させ、対応する放電セルの蛍光体層を発光させる動作である。
【０００４】
サブフィールド法の中でも最も低い階調である黒を表示する際の輝度（以下、「黒輝度」と略記する）を下げ、階調表示に関係しない発光を極力減らしてコントラストを向上させる駆動方法が検討されている。例えば特許文献１には、強制初期化動作を行う回数を１フィールドに１回とし、緩やかに変化する傾斜波形電圧を用いて強制初期化動作を行う駆動方法が開示されている。
【０００５】
また特許文献２には、表示電極対をｎ分割し、強制初期化動作を行う回数をｎフィールドに１回とし、階調表示に関係しない発光をさらに減らして黒輝度をさらに下げ、コントラストをさらに向上させた駆動方法が開示されている。
【先行技術文献】
【特許文献】
【０００６】
【特許文献１】特開２０００−２４２２２４号公報
【特許文献２】特開２００６−０９１２９５号公報
【発明の概要】
【発明が解決しようとする課題】
【０００７】
しかしながら強制初期化動作には、続く書込み期間において書込み放電を発生させるために必要な壁電荷を蓄積する働きがあり、加えて放電遅れ時間を短くして書込み放電を確実に発生させるためのプライミングを発生するという働きも持っている。そのため単純に強制初期化動作の回数を削減すると、書込み放電が発生しない、あるいは書込み放電の放電遅れ時間が長くなりすぎて書込み動作が不安定となり、正常な画像表示ができなくなるおそれがあるという課題があった。
【０００８】
本発明はこれらの課題に鑑みなされたものであり、強制初期化動作の回数を削減して黒輝度を抑えるとともに安定した書込み動作を行って、コントラストが高くかつ画像表示品質の高い画像表示が可能なパネルの駆動方法およびプラズマディスプレイ装置を提供することを目的とする。
【課題を解決するための手段】
【０００９】
上記目的を達成するために本発明は、初期化期間と書込み期間と維持期間とを有するサブフィールドを複数用いて１つのフィールドを構成し、走査電極と維持電極とデータ電極とを有する放電セルを複数備えたパネルを駆動するパネルの駆動方法であって、フィールドは、初期化期間において、放電の履歴にかかわらず放電が発生する所定の電圧まで上昇する上り傾斜波形電圧を印加した後に再び放電が発生する電圧まで下降する下り傾斜波形電圧を印加する走査電極と所定の電圧よりも低い電圧まで上昇する上り傾斜波形電圧を印加した後に下り傾斜波形電圧を印加する走査電極とが存在する第１種サブフィールドと、初期化期間において、直前のサブフィールドで書込み放電を発生した放電セルのみで放電が発生する電圧まで下降する下り傾斜波形電圧を走査電極に印加する第２種サブフィールドとを含み、第１種サブフィールドの初期化期間において走査電極に下り傾斜波形電圧を印加するとともにデータ電極に第１の電圧を印加し、第２種サブフィールドの初期化期間において走査電極に下り傾斜波形電圧を印加するとともにデータ電極に第１の電圧よりも高い第２の電圧を印加することを特徴とする。この方法により、強制初期化動作の回数を削減して黒輝度を抑えるとともに安定した書込み動作を行って、コントラストが高くかつ画像表示品質の高い画像表示が可能なパネルの駆動方法を提供することができる。
【００１０】
また本発明のパネルの駆動方法は、第２種サブフィールドの初期化期間において走査電極に印加する下り傾斜波形電圧の到達電圧が、第１種サブフィールドの初期化期間において走査電極に印加する下り傾斜波形電圧の到達電圧よりも高いことが望ましい。
【００１１】
また本発明は、走査電極と維持電極とデータ電極とを有する放電セルを複数備えたパネルと、初期化期間と書込み期間と維持期間とを有するサブフィールドを複数用いて１つのフィールドを構成するとともに駆動電圧波形を発生してパネルの各電極に印加する駆動回路とを備えたプラズマディスプレイ装置であって、駆動回路は、初期化期間において、放電の履歴にかかわらず放電が発生する所定の電圧まで上昇する上り傾斜波形電圧を印加した後に再び放電が発生する電圧まで下降する下り傾斜波形電圧を印加する走査電極と所定の電圧よりも低い電圧まで上昇する上り傾斜波形電圧を印加した後に下り傾斜波形電圧を印加する走査電極とが存在する第１種サブフィールドと、初期化期間において、直前のサブフィールドで書込み放電を発生した放電セルのみで放電が発生する電圧まで下降する下り傾斜波形電圧を走査電極に印加する第２種サブフィールドとでフィールドを構成し、第１種サブフィールドの初期化期間において走査電極に下り傾斜波形電圧を印加するとともにデータ電極に第１の電圧を印加し、第２種サブフィールドの初期化期間において走査電極に下り傾斜波形電圧を印加するとともにデータ電極に第１の電圧よりも高い第２の電圧を印加して前記プラズマディスプレイパネルを駆動することを特徴とする。この構成により、強制初期化動作の回数を削減して黒輝度を抑えるとともに安定した書込み動作を行って、コントラストが高くかつ画像表示品質の高い画像表示が可能なプラズマディスプレイ装置を提供することができる。
【発明の効果】
【００１２】
本発明によれば、強制初期化動作の回数を削減して黒輝度を抑えるとともに安定した書込み動作を行って、コントラストが高くかつ画像表示品質の高い画像表示が可能なパネルの駆動方法およびプラズマディスプレイ装置を提供することが可能となる。
【図面の簡単な説明】
【００１３】
【図１】本発明の実施の形態１におけるプラズマディスプレイ装置に用いるパネルの分解斜視図である。
【図２】同プラズマディスプレイ装置に用いるパネルの電極配列図である。
【図３】同プラズマディスプレイ装置の各電極に印加する駆動電圧波形図である。
【図４】本発明の実施の形態１において強制初期化動作を行う走査電極とフィールドとの関係を示す図である。
【図５】本発明の実施の形態１におけるプラズマディスプレイ装置の回路ブロック図である。
【図６】同プラズマディスプレイ装置の走査電極駆動回路の回路図である。
【図７】同プラズマディスプレイ装置の維持電極駆動回路の回路図である。
【図８】同プラズマディスプレイ装置のデータ電極駆動回路の回路図である。
【図９】同プラズマディスプレイ装置の駆動回路の動作を説明するためのタイミングチャートである。
【図１０】本発明の実施の形態２におけるプラズマディスプレイ装置の各電極に印加する駆動電圧波形図である。
【発明を実施するための形態】
【００１４】
以下、本発明の実施の形態におけるプラズマディスプレイ装置について、図面を用いて説明する。
【００１５】
（実施の形態１）
図１は、本発明の実施の形態１におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１６】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１７】
なお、パネル１０の構造は上述したものに限られるわけではなく、例えばストライプ状の隔壁を備えたものであってもよい。
【００１８】
図２は、本発明の実施の形態１におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１９】
次に、パネル１０を駆動するための駆動電圧波形とその動作について説明する。プラズマディスプレイ装置は、サブフィールド法、すなわち１フィールドを複数のサブフィールドに分割し、サブフィールド毎に各放電セルの発光・非発光を制御することによって画像を表示する。それぞれのサブフィールドは初期化期間、書込み期間および維持期間を有する。初期化期間では初期化放電を発生し、続く書込み放電に必要な壁電荷を各電極上に形成する初期化動作を行う。このときの初期化動作には、それ以前の放電の有無にかかわらず放電セルで強制的に初期化放電を発生させる強制初期化動作と、直前のサブフィールドで維持放電を行った放電セルのみで初期化放電を発生させる選択初期化動作とがある。書込み期間では、発光させるべき放電セルで選択的に書込み放電を発生し壁電荷を形成する書込み動作を行う。そして維持期間では、サブフィールド毎にあらかじめ決められた輝度重みに応じた数の維持パルスを表示電極対に交互に印加して、書込み放電を発生した放電セルで維持放電を発生させて発光させる維持動作を行う。
【００２０】
サブフィールド構成としては、例えば、１フィールドを１０のサブフィールド（ＳＦ１、ＳＦ２、・・・、ＳＦ１０）に分割し、各サブフィールドはそれぞれ、（１、２、３、６、１１、１８、３０、４４、６０、８０）の輝度重みを持つものとする。
【００２１】
本実施の形態においては、サブフィールドＳＦ１は、強制初期化動作を行う放電セルと強制初期化動作を行わない放電セルとが存在する第１種サブフィールドである。またサブフィールドＳＦ２〜ＳＦ１０は、全ての放電セルで選択初期化動作を行う第２種サブフィールドである。なお第１種サブフィールドにおいて強制初期化動作を行う特定の走査電極についての詳細は後述することとして、まず駆動電圧波形の一例について説明する。
【００２２】
図３は、本発明の実施の形態１におけるプラズマディスプレイ装置の各電極に印加する駆動電圧波形図である。図３には走査電極ＳＣ１、走査電極ＳＣ２、維持電極ＳＵ１〜ＳＵｎおよびデータ電極Ｄ１〜Ｄｍに印加する駆動電圧波形を、サブフィールドＳＦ１〜ＳＦ３について示している。なお図３においては、走査電極ＳＣ１を有する放電セルで強制初期化動作を行い、走査電極ＳＣ２を有する放電セルでは強制初期化動作を行わないものとして説明する。
【００２３】
第１種サブフィールドＳＦ１の初期化期間の前半部では、データ電極Ｄ１〜Ｄｍに電圧０（Ｖ）を印加し、維持電極ＳＵ１〜ＳＵｎにも電圧０（Ｖ）を印加する。そして強制初期化動作を行う走査電極ＳＣ１には、放電が発生しない電圧Ｖｉ１から、放電の履歴にかかわらず放電が発生する所定の電圧Ｖｉ２（以下、単に「電圧Ｖｉ２」と略記する。）まで緩やかに上昇する上り傾斜波形電圧を印加する。すると、走査電極ＳＣ１と維持電極ＳＵ１との間、および走査電極ＳＣ１とデータ電極Ｄ１〜Ｄｍとの間でそれぞれ微弱な初期化放電が起こり、走査電極ＳＣ１上に負の壁電圧が蓄積されるとともにデータ電極Ｄ１〜Ｄｍ上および維持電極ＳＵ１上に正の壁電圧が蓄積される。加えて、書込み放電の放電遅れ時間を短くするプライミングも発生する。ここで電極上の壁電圧とは、電極を覆う誘電体層上、保護層上、蛍光体層上等に蓄積された壁電荷により生じる電圧を表す。
【００２４】
一方、強制初期化動作を行わない走査電極ＳＣ２には、電圧０（Ｖ）から、上記所定の電圧Ｖｉ２よりも低い電圧Ｖｉ５まで緩やかに上昇する上り傾斜波形電圧を印加する。ただしこの場合には放電は発生しない。
【００２５】
このようにサブフィールドＳＦ１の初期化期間の前半部では、強制初期化動作を行う走査電極にはそれ以前の放電の有無にかかわらず放電が発生する電圧Ｖｉ２に向かって緩やかに上昇する上り傾斜波形電圧を印加する。また、強制初期化動作を行わない走査電極には、電圧Ｖｉ２よりも低い電圧Ｖｉ５に向かって緩やかに上昇する上り傾斜波形電圧を印加する。
【００２６】
続く第１種サブフィールドＳＦ１の初期化期間の後半部では、データ電極Ｄ１〜Ｄｍに第１の電圧として電圧０（Ｖ）を印加し、維持電極ＳＵ１〜ＳＵｎには電圧Ｖｅを印加する。そして走査電極ＳＣ１〜ＳＣｎに電圧Ｖｉ３から電圧Ｖｉ４に向かって緩やかに下降する下り傾斜波形電圧を印加する。すると、サブフィールドＳＦ１の初期化期間の前半部で微弱な初期化放電を起こした放電セルおよび直前のサブフィールドである前フィールドのサブフィールドＳＦ１０で放電を発生し過剰な壁電荷を蓄積している放電セルでは微弱な初期化放電が発生する。そして対応する放電セルの走査電極上および維持電極上の壁電圧が弱められるとともに、データ電極Ｄ１〜Ｄｍの壁電圧の過剰な部分が放電され書込み動作に適した壁電圧に調整される。加えて、書込み放電の放電遅れ時間を短くするプライミングも発生する。一方、直前のサブフィールドで放電を起こさずサブフィールドＳＦ１の初期化期間の前半部でも初期化放電を起こさなかった放電セルでは初期化放電が発生せず、それ以前の壁電圧が保持される。
【００２７】
このように本実施の形態においては、サブフィールドＳＦ１は、初期化期間において、強制初期化動作を行う放電セルと選択初期化動作を行う放電セルとが混在する第１種サブフィールドである。そして初期化期間において、放電の履歴にかかわらず放電が発生する所定の電圧Ｖｉ２まで上昇する上り傾斜波形電圧を印加した後に再び放電が発生する電圧Ｖｉ４まで下降する下り傾斜波形電圧を印加する走査電極と、所定の電圧Ｖｉ２よりも低い電圧Ｖｉ５まで上昇する上り傾斜波形電圧を印加した後に電圧Ｖｉ４まで下降する下り傾斜波形電圧を印加する走査電極とが存在する。また走査電極ＳＣ１〜ＳＣｎに下り傾斜波形電圧を印加するとともにデータ電極Ｄ１〜Ｄｍに第１の電圧０（Ｖ）を印加する。
【００２８】
続くサブフィールドＳＦ１の書込み期間では、データ電極Ｄ１〜Ｄｍに電圧０（Ｖ）を、維持電極ＳＵ１〜ＳＵｎには電圧Ｖｅを引き続き印加し、走査電極ＳＣ１〜ＳＣｎに電圧Ｖｃを印加する。次に、１行目の走査電極ＳＣ１に電圧Ｖａの走査パルスを印加するとともに発光すべき放電セルに対応するデータ電極Ｄｋに電圧Ｖｄの書込みパルスを印加する。するとデータ電極Ｄｋ上と走査電極ＳＣ１上との交差部の電圧差は放電開始電圧を超え、データ電極Ｄｋと走査電極ＳＣ１との間で放電が発生し、さらに走査電極ＳＣ１と維持電極ＳＵ１との間に放電が伸展して書込み放電が起こる。そして走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００２９】
次に、２行目の走査電極ＳＣ２に走査パルスを印加するとともに、発光すべき放電セルに対応するデータ電極Ｄｋに電圧Ｖｄの書込みパルスを印加する。するとデータ電極Ｄｋと走査電極ＳＣ１との間および維持電極ＳＵ１と走査電極ＳＣ１との間で書込み放電が起こり、走査電極ＳＣ２上に正の壁電圧が蓄積され、維持電極ＳＵ２上に負の壁電圧が蓄積され、データ電極Ｄｋ上にも負の壁電圧が蓄積される。このようにして、２行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００３０】
以下、ｎ行目の走査電極ＳＣｎにいたるまで同様の書込み動作を行い、続く維持放電に必要な壁電荷を形成する。
【００３１】
続くサブフィールドＳＦ１の維持期間では、データ電極Ｄ１〜Ｄｍに電圧０（Ｖ）を印加する。そして、維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差は電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み放電が起きなかった放電セルでは維持放電は発生せず、初期化動作の終了時における壁電圧が保たれる。
【００３２】
続いて、走査電極ＳＣ１〜ＳＣｎに電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。
【００３３】
そしてその後に、電圧Ｖｒに向かって緩やかに上昇する上り傾斜波形電圧を走査電極ＳＣ１〜ＳＣｎに印加する。すると維持放電を行った放電セルでは消去放電が発生して、走査電極ＳＣｉ上および維持電極ＳＵｉ上の壁電圧が弱められる。こうして維持動作を終了する。
【００３４】
第２種サブフィールドＳＦ２の初期化期間では、データ電極Ｄ１〜Ｄｍに第１の電圧０（Ｖ）よりも高い第２の電圧として正の電圧Ｖｇを印加する。また維持電極ＳＵ１〜ＳＵｎには電圧Ｖｅよりも高い電圧Ｖｈを印加する。そして走査電極ＳＣ１〜ＳＣｎには電圧Ｖｉ６に向かって緩やかに下降する下り傾斜波形電圧を印加する。ここで、第２種サブフィールドＳＦ１の初期化期間において走査電極ＳＣ１〜ＳＣｎに印加する下り傾斜波形電圧の到達電圧Ｖｉ６は第１種サブフィールドＳＦ１の初期化期間において走査電極ＳＣ１〜ＳＣｎに印加する下り傾斜波形電圧の到達電圧Ｖｉ４よりも高く設定されており、電圧Ｖｉ４と電圧Ｖｇとの和と同程度の電圧に設定されている。すると、直前のサブフィールドＳＦ１において維持放電を発生した放電セルで微弱な初期化放電が発生し、走査電極ＳＣｉ上および維持電極ＳＵｉ上の壁電圧が弱められる。またデータ電極Ｄｋ上の壁電圧の過剰な部分が放電され、書込み動作に適した壁電圧に調整される。このようにして選択初期化動作が完了する。
【００３５】
このように本実施の形態においては、サブフィールドＳＦ２は、全ての放電セルで選択初期化動作を行う第２種サブフィールドである。そして初期化期間において、直前のサブフィールドで書込み放電を発生した放電セルのみで放電が発生する電圧まで下降する下り傾斜波形電圧を走査電極ＳＣ１〜ＳＣｎに印加する。また、走査電極ＳＣ１〜ＳＣｎに下り傾斜波形電圧を印加するとともにデータ電極Ｄ１〜Ｄｍに第１の電圧０（Ｖ）よりも高い第２の電圧Ｖｇを印加する。
【００３６】
続くサブフィールドＳＦ２の書込み期間の駆動電圧波形はサブフィールドＳＦ１の書込み期間と同様である。すなわちデータ電極Ｄ１〜Ｄｍに電圧０（Ｖ）を、維持電極ＳＵ１〜ＳＵｎには電圧Ｖｅを印加し、走査電極ＳＣ１〜ＳＣｎに電圧Ｖａの走査パルスを順次印加するとともに、発光すべき放電セルに対応するデータ電極Ｄｋに電圧Ｖｄの書込みパルスを印加して書込み動作を行う。
【００３７】
続くサブフィールドＳＦ２の維持期間の駆動電圧波形も維持パルス数を除きサブフィールドＳＦ１の維持期間と同じである。すなわち走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。そしてその後に、電圧Ｖｒに向かって緩やかに上昇する上り傾斜波形電圧を走査電極ＳＣ１〜ＳＣｎに印加して、データ電極Ｄｋ上の正の壁電圧を残したまま、走査電極ＳＣｉ上および維持電極ＳＵｉ上の壁電圧を弱める。
【００３８】
続く第２種サブフィールドＳＦ３〜ＳＦ１０における駆動電圧波形は、維持パルス数を除き第２種サブフィールドＳＦ２と同様である。
【００３９】
なお、本実施の形態においては、電圧Ｖｉ１は１５０（Ｖ）、電圧Ｖｉ２は３５０（Ｖ）、電圧Ｖｉ３は２００（Ｖ）、電圧Ｖｉ４は−１７０（Ｖ）、電圧Ｖｉ５は２００（Ｖ）、電圧Ｖｉ６は−１１０（Ｖ）、電圧Ｖｃは−５０（Ｖ）、電圧Ｖａは−２００（Ｖ）、電圧Ｖｓは２００（Ｖ）、電圧Ｖｒは２００（Ｖ）、電圧Ｖｅは１７０（Ｖ）、電圧Ｖｄは６０（Ｖ）、電圧Ｖｇは６０（Ｖ）、電圧Ｖｈは２００（Ｖ）である。また、走査電極ＳＣ１〜ＳＣｎに印加する上り傾斜波形電圧の傾斜は１０（Ｖ／μｓ）であり、下り傾斜波形電圧の傾斜は−１．５（Ｖ／μｓ）である。しかしこれらの電圧値は上述した値に限定されるものではなく、パネルの放電特性やプラズマディスプレイ装置の仕様にもとづき最適に設定することが望ましい。
【００４０】
次に、強制初期化動作を行う特定の走査電極とフィールドとの関係について説明する。本実施の形態においては、各フィールドのそれぞれに対して強制初期化動作を行う特定の走査電極を以下の規則にもとづき設定する。１つの走査電極に対して、Ｎ個の連続するフィールド（Ｎは自然数）のうち１つのフィールドで１回だけ強制初期化動作を行う場合、時間的に連続するＮフィールドを１つのフィールド群とし、連続して配置されたＮ本の走査電極を１つの走査電極群とする。その上で、
（規則１）１つの走査電極で強制初期化動作を行うフィールドは、それぞれのフィールド群の中で１つである。
【００４１】
（規則２）１つのフィールドで強制初期化動作を行う走査電極は、それぞれの走査電極群の中で１つである。
【００４２】
さらに、Ｎ≧５の場合には、
（規則３）あるフィールドで強制初期化動作を行う走査電極に隣接する走査電極では、少なくともそのフィールドと、そのフィールドの次のフィールドとで強制初期化動作を行わない。
【００４３】
図４は、本発明の実施の形態１において強制初期化動作を行う走査電極とフィールドとの関係を示す図であり、時間的に連続する５フィールドを１つのフィールド群とするＮ＝５の場合の一例を示している。また横軸はフィールドを、縦軸は走査電極をそれぞれ表し、フィールドＦｊ〜Ｆｊ＋４が１つのフィールド群を、走査電極ＳＣｉ〜ＳＣｉ＋４が１つの走査電極群を構成している。さらに「○」は強制初期化動作を行うことを示し、「×」は強制初期化動作を行わないことを示している。
【００４４】
図４から明らかなように、走査電極ＳＣｉは、それぞれフィールド群の中の１つのフィールドで強制初期化動作を行っている。他の走査電極についても同様である（規則１）。これにより、フィールド毎に全ての放電セルで強制初期化動作を毎回行う場合と比較して、強制初期化動作の回数が５分の１に低減されるので、表示画像の黒輝度も５分の１に低減することができる。またフィールドＦｊに対して、それぞれ走査電極群の中の１つの走査電極で強制初期化動作を行っている。他のフィールドについても同様である（規則２）。これにより、強制初期化動作を行う走査電極を各フィールドに分散できるので、フリッカーを低減することができる。また走査電極ＳＣｉはフィールドＦｊで強制初期化動作を行い、走査電極ＳＣｉに隣接する走査電極ＳＣｉ−１および走査電極ＳＣｉ＋１は、フィールドＦｊおよびその次のフィールドＦｊ＋１では強制初期化動作を行わない。他の走査電極についても同様である（規則３）。これにより、強制初期化動作を行う走査電極の時間的および空間的連続性を低減できるので、強制初期化動作にともなう発光が認識されにくくなる。
【００４５】
このように本実施の形態においては、放電セルのそれぞれは、連続する複数のフィールドのうちの１つのフィールドに属する１つのサブフィールドの初期化期間において強制的に初期化放電を発生させる強制初期化動作を行う。これにより強制初期化動作を行う回数をｎフィールドに１回とし、階調表示に関係しない発光をさらに減らして黒輝度を低下させ、コントラストの高い画像表示を行っている。
【００４６】
ただし上述したように、単に強制初期化動作の回数を削減すると、書込み放電が発生しない、あるいは書込み放電の放電遅れ時間が長くなりすぎて書込み動作が不安定となり、正常な画像表示ができなくなるおそれがある。
【００４７】
しかしながら本実施の形態においては、選択初期化動作を行う第２種サブフィールドＳＦ２〜ＳＦ１０の初期化期間において、データ電極Ｄ１〜Ｄｍに第１の電圧０（Ｖ）よりも高い第２の電圧Ｖｇを印加する。さらに走査電極ＳＣ１〜ＳＣｎに印加する下り傾斜波形電圧の到達電圧Ｖｉ６は、第１種サブフィールドＳＦ１の初期化期間において走査電極ＳＣ１〜ＳＣｎに印加する下り傾斜波形電圧の到達電圧Ｖｉ４よりも高く設定されている。これにより、書込み動作を安定させてコントラストが高くかつ画像表示品質の高い画像を表示している。以下にその理由について説明する。
【００４８】
本実施の形態においては、強制初期化動作を行う回数を減らしているために、各放電セルの壁電圧のばらつきが大きくなる可能性がある。しかしながら本実施の形態においては、選択初期化動作を行う第２種サブフィールドＳＦ２〜ＳＦ１０の初期化期間においてデータ電極Ｄ１〜Ｄｍに正の電圧Ｖｇを印加している。そのため走査電極ＳＣ１〜ＳＣｎとデータ電極Ｄ１〜Ｄｍとの間の電圧差が大きくなり、選択初期化動作を行う放電セルのデータ電極Ｄｋと走査電極ＳＣｉとの間で確実に放電を発生させることができ、データ電極Ｄｋ上の壁電圧を精度よくそろえることができる。そしてこの放電により減少した壁電圧を補って書込み放電を確実に発生させるために、書込み期間において走査電極に印加する走査パルスの低電圧側電圧Ｖａを電圧Ｖｉ６から正の電圧Ｖｇを減じた電圧と同程度に設定している。言い換えると、選択初期動作を行う初期化期間において、走査パルスの低圧側の電圧Ｖａに正の電圧Ｖｇを重畳した電圧と同程度の電圧Ｖｉ６に向かって下降する下り傾斜波形電圧を走査電極ＳＣ１〜ＳＣｎに印加している。本実施の形態においては、電圧Ｖｉ６は電圧Ｖｉ４と電圧Ｖｇとの和よりもわずかに高い電圧に設定されている。
【００４９】
一方、第１種サブフィールドＳＦ１の初期化期間では、データ電極Ｄ１〜Ｄｍに正の電圧Ｖｇは印加しない。以下にその理由について説明する。
【００５０】
第１種サブフィールドＳＦ１の初期化期間では強制初期化動作を行う放電セルが存在する。すなわち初期化期間の前半部において、以前の放電の有無にかかわらず放電が発生する電圧Ｖｉ２に向かって上昇する上り傾斜波形電圧を印加して強制的に初期化放電を発生させる放電セルが存在する。このような放電セルのデータ電極上には正極性の高い壁電圧が蓄積される。仮にこのような放電セルのデータ電極上に正極性の電圧を印加したと仮定すると、初期化期間の後半部において走査電極とデータ電極との間の電圧差が大きくなりすぎて強い誤放電が発生する確率が高くなる。そのため本実施の形態においては、強制初期化動作を行う放電セルが存在する第１種サブフィールドＳＦ１の初期化期間では、データ電極上に正極性の電圧は印加しない。
【００５１】
こうしてデータ電極Ｄｋ上の壁電圧を精度よく調整することにより、強制初期化動作の回数を削減しても書込み放電を安定して発生させることができる。
【００５２】
次に、パネル１０を駆動するための駆動回路とその動作について説明する。図５は、本発明の実施の形態１におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００５３】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する書込みパルスに変換し各データ電極Ｄ１〜Ｄｍに印加する。タイミング発生回路４５は垂直および水平同期信号をもとにして各回路ブロックの動作を制御する各種のタイミング信号を発生し、それぞれの回路ブロックへ供給する。走査電極駆動回路４３は、タイミング信号にもとづいて上述した駆動電圧波形を発生し各走査電極ＳＣ１〜ＳＣｎのそれぞれに印加する。維持電極駆動回路４４は、タイミング信号にもとづいて上述した駆動電圧波形を発生し維持電極ＳＵ１〜ＳＵｎに印加する。
【００５４】
図６は、本発明の実施の形態１におけるプラズマディスプレイ装置４０の走査電極駆動回路４３の回路図である。走査電極駆動回路４３は、維持パルス発生回路５０と、傾斜波形電圧発生回路６０と、走査パルス発生回路７０とを備えている。
【００５５】
維持パルス発生回路５０は、電力回収回路５１と、スイッチング素子Ｑ５５と、スイッチング素子Ｑ５６と、スイッチング素子Ｑ５９とを有し、走査電極ＳＣ１〜ＳＣｎに印加する維持パルスを発生する。電力回収回路５１は走査電極ＳＣ１〜ＳＣｎを駆動するときの電力を回収して再利用する。スイッチング素子Ｑ５５は走査電極ＳＣ１〜ＳＣｎを電圧Ｖｓにクランプし、スイッチング素子Ｑ５６は走査電極ＳＣ１〜ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止するために設けられている。
【００５６】
走査パルス発生回路７０は、スイッチング素子Ｑ７１Ｈ１〜Ｑ７１Ｈｎ、Ｑ７１Ｌ１〜Ｑ７１Ｌｎ、スイッチング素子Ｑ７２、走査パルス発生回路７０の基準電位（図６に示した節点Ａの電位）に重畳された電圧Ｖｐの電源Ｅ７１を有する。そして電圧Ｖａの電源、および電源Ｅ７１をもとにして走査パルスを発生し、走査電極ＳＣ１〜ＳＣｎのそれぞれに、図３に示したタイミングで走査パルスを順次印加する。なお、走査パルス発生回路７０は、維持動作時には維持パルス発生回路５０の出力電圧をそのまま出力する。すなわち、節点Ａの電圧を走査電極ＳＣ１〜ＳＣｎへ出力する。
【００５７】
傾斜波形電圧発生回路６０は、ミラー積分回路６１〜６３を備え、図３に示した傾斜波形電圧を発生させる。ミラー積分回路６１は、トランジスタＱ６１とコンデンサＣ６１と抵抗Ｒ６１とを有し、入力端子ＩＮ６１に一定の電圧を印加することにより、電圧Ｖｔに向かって緩やかに上昇する上り傾斜波形電圧を発生する。ミラー積分回路６２は、トランジスタＱ６２とコンデンサＣ６２と抵抗Ｒ６２と逆流防止用のダイオードＤ６２とを有し、入力端子ＩＮ６２に一定の電圧を印加することにより、電圧Ｖｒに向かって緩やかに上昇する上り傾斜波形電圧を発生する。ミラー積分回路６３は、トランジスタＱ６３とコンデンサＣ６３と抵抗Ｒ６３とを有し、入力端子ＩＮ６３に一定の電圧を印加することにより、電圧Ｖｉ４に向かって緩やかに低下する下り傾斜波形電圧を発生する。なおスイッチング素子Ｑ６９も分離スイッチであり、走査電極駆動回路４３を構成するスイッチング素子の寄生ダイオード等を介して電流が逆流するのを防止するために設けられている。
【００５８】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００５９】
図７は、本発明の実施の形態１におけるプラズマディスプレイ装置４０の維持電極駆動回路４４の回路図である。維持電極駆動回路４４は、維持パルス発生回路８０と、一定電圧発生回路８５とを備えている。
【００６０】
維持パルス発生回路８０は、電力回収回路８１と、スイッチング素子Ｑ８３と、スイッチング素子Ｑ８４とを有し、維持電極ＳＵ１〜ＳＵｎに印加する維持パルスを発生する。電力回収回路８１は維持電極ＳＵ１〜ＳＵｎを駆動するときの電力を回収して再利用する。スイッチング素子Ｑ８３は維持電極ＳＵ１〜ＳＵｎを電圧Ｖｓにクランプし、スイッチング素子Ｑ８４は維持電極ＳＵ１〜ＳＵｎを電圧０（Ｖ）にクランプする。
【００６１】
一定電圧発生回路８５は、スイッチング素子Ｑ８６、Ｑ８７を有し、維持電極ＳＵ１〜ＳＵｎに電圧Ｖｅを印加する。
【００６２】
なお、これらのスイッチング素子は、ＭＯＳＦＥＴやＩＧＢＴ等の一般に知られた素子を用いて構成することができる。またこれらのスイッチング素子は、タイミング発生回路４５で発生したそれぞれのスイッチング素子に対応するタイミング信号により制御される。
【００６３】
図８は、本発明の実施の形態１におけるプラズマディスプレイ装置４０のデータ電極駆動回路４２の回路図である。データ電極駆動回路４２は、スイッチング素子Ｑ９１Ｈ１〜Ｑ９１Ｈｍ、スイッチング素子Ｑ９１Ｌ１〜Ｑ９１Ｌｍを有する。そしてスイッチング素子Ｑ９１Ｌｊをオンにすることでデータ電極Ｄｊに電圧０（Ｖ）を印加し、スイッチング素子Ｑ９１Ｈｊをオンにすることでデータ電極Ｄｊに電圧Ｖｄを印加する。
【００６４】
次に、駆動回路の動作、特に走査電極駆動回路４３、維持電極駆動回路４４、データ電極駆動回路４２の第１種サブフィールドＳＦ１から第２種サブフィールドＳＦ２にかけての動作について説明する。本実施の形態においては、図３に示した電圧Ｖｉ１は電圧Ｖｐに等しく、電圧Ｖｉ２は電圧（Ｖｔ＋Ｖｐ）に等しく、電圧Ｖｉ３は電圧Ｖｓに等しく、電圧Ｖｉ５は電圧Ｖｔに等しく、電圧Ｖｃは電圧（Ｖａ＋Ｖｐ）に等しく、電圧Ｖｇは電圧Ｖｄに等しく、電圧Ｖｈは電圧Ｖｓに等しいものとして説明する。しかしこれらの電圧は上記に限定されるものではなく、回路構成に応じて適宜設定することができる。
【００６５】
図９は、本発明の実施の形態１におけるプラズマディスプレイ装置４０の駆動回路の動作を説明するためのタイミングチャートである。なお図９には走査電極ＳＣ１〜ＳＣｎの内、強制初期化動作を行う走査電極を走査電極ＳＣｘで示し、強制初期化動作を行わない走査電極を走査電極ＳＣｙで示した。またスイッチング素子Ｑ７１Ｈ１〜Ｑ７１Ｈｎの内、走査電極ＳＣｘに対応するスイッチング素子をスイッチング素子Ｑ７１Ｈｘで示し、走査電極ＳＣｙに対応するスイッチング素子をスイッチング素子Ｑ７１Ｈｙで示した。同様にスイッチング素子Ｑ７１Ｌ１〜Ｑ７１Ｌｎの内、走査電極ＳＣｘに対応するスイッチング素子をスイッチング素子Ｑ７１Ｌｘで示し、走査電極ＳＣｙに対応するスイッチング素子をスイッチング素子Ｑ７１Ｌｙで示した。
【００６６】
サブフィールドＳＦ１の初期化期間の前半部では、まず走査電極駆動回路４３のスイッチング素子Ｑ５６オンにして走査電極ＳＣｘ、ＳＣｙに電圧０（Ｖ）を印加する。次にスイッチング素子Ｑ５６をオフにするとともに、強制初期化動作を行う走査電極ＳＣｘに対してはスイッチング素子Ｑ７１Ｌｘをオフ、スイッチング素子Ｑ７１Ｈｘをオンにして電圧Ｖｐを印加する。一方、強制初期化動作を行わない走査電極ＳＣｙに対しては、電圧０（Ｖ）を印加したままである。
【００６７】
次に、ミラー積分回路６１の入力端子ＩＮ６１に一定の電圧を印加して、節点Ａの電圧を電圧Ｖｔまで緩やかに上昇させる。すると、強制初期化動作を行う走査電極ＳＣｘには、電圧Ｖｐから電圧（Ｖｔ＋Ｖｐ）まで緩やかに上昇する上り傾斜波形電圧が印加される。一方、強制初期化動作を行わない走査電極ＳＣｙには電圧０（Ｖ）から電圧Ｖｔまで緩やかに上昇する上り傾斜波形電圧が印加される。
【００６８】
続くサブフィールドＳＦ１の初期化期間の後半部では、維持電極駆動回路４４のスイッチング素子Ｑ８４をオフ、スイッチング素子Ｑ８６、Ｑ８７をオンにして、維持電極ＳＵ１〜ＳＵｎに電圧Ｖｅを印加する。そして走査電極駆動回路４３のスイッチング素子Ｑ７１Ｈｘをオフ、スイッチング素子Ｑ７１Ｌｘをオンに戻すとともに、スイッチング素子Ｑ５５、Ｑ５９をオンにして、まず走査電極ＳＣｘ、ＳＣｙに電圧Ｖｓを印加する。その後、スイッチング素子Ｑ６９をオフにするとともにミラー積分回路６３の入力端子ＩＮ６３に一定の電圧を印加してミラー積分回路６３を動作させて、走査電極ＳＣｘ、ＳＣｙに電圧Ｖｉ４まで緩やかに下降する下り傾斜波形電圧を印加する。
【００６９】
続くサブフィールドＳＦ１の書込み期間では、走査電極駆動回路４３のミラー積分回路６３のトランジスタＱ６３をオフ、スイッチング素子Ｑ７２をオンにして節点Ａの電圧を電圧Ｖａにする。そしてスイッチング素子Ｑ７１Ｌｘ、Ｑ７１Ｌｙをオフ、スイッチング素子Ｑ７１Ｈｘ、Ｑ７１Ｈｙをオンとして、走査電極ＳＣｘ、ＳＣｙのそれぞれに電圧（Ｖａ＋Ｖｐ）を印加する。
【００７０】
次に、スイッチング素子Ｑ７１Ｈ１をオフ、スイッチング素子Ｑ７１Ｌ１をオンにし、画像データに応じてデータ電極駆動回路４２のスイッチング素子Ｑ９１Ｌｊおよびスイッチング素子Ｑ９１Ｈｊを制御する。一定の時間の後、スイッチング素子Ｑ７１Ｌ１をオフ、スイッチング素子Ｑ７１Ｈ１をオンに戻す。このようにして走査電極ＳＣ１に走査パルスを、データ電極に書込みパルスをそれぞれ印加する。以下同様に、走査電極ＳＣｎにいたるまで、順次走査パルスを印加するとともに書込みパルスを印加する。
【００７１】
その後、スイッチング素子Ｑ７２、スイッチング素子Ｑ７１Ｈｘ、Ｑ７１Ｈｙをオフ、スイッチング素子Ｑ５６、スイッチング素子Ｑ６９、スイッチング素子Ｑ７１Ｌｘ、Ｑ７１Ｌｙをオンにして走査電極ＳＣｘ、ＳＣｙに電圧０（Ｖ）を印加する。
【００７２】
続くサブフィールドＳＦ１の維持期間では、走査電極駆動回路４３の維持パルス発生回路５０、および維持電極駆動回路４４の維持パルス発生回路８０を用いて、走査電極ＳＣｘ、ＳＣｙ、および維持電極ＳＵ１〜ＳＵｎに、輝度重みに応じた維持パルスをそれぞれ印加する。そしてその後、走査電極駆動回路４３のスイッチング素子Ｑ５６をオフにするとともに、ミラー積分回路６２の入力端子ＩＮ６２に一定の電圧を印加してミラー積分回路６２を動作させ、走査電極ＳＣｘ、ＳＣｙに、電圧Ｖｒまで緩やかに上昇する上り傾斜波形電圧を印加する。
【００７３】
続くサブフィールドＳＦ２の初期化期間では、データ電極駆動回路４２のスイッチング素子Ｑ９１Ｌ１〜Ｑ９１Ｌｍをオフ、スイッチング素子Ｑ９１Ｈ１〜Ｑ９１Ｈｍをオンにしてデータ電極Ｄ１〜Ｄｍに正の電圧Ｖｄを印加する。また維持電極駆動回路４４のスイッチング素子Ｑ８４をオフ、スイッチング素子Ｑ８３をオンにして維持電極ＳＵ１〜ＳＵｎに電圧Ｖｓを印加する。そして走査電極駆動回路４３のスイッチング素子Ｑ７１Ｌｘ、Ｑ７１Ｌｙをオンにするとともに、ミラー積分回路６３の入力端子ＩＮ６３に一定の電圧を印加してミラー積分回路６３を動作させる。そして走査電極ＳＣｘ、ＳＣｙに印加する下り傾斜波形の電圧が電圧Ｖｉ６に達した時点で、入力端子ＩＮ６３に印加していた電圧を停止する。こうして電圧Ｖｉ６まで緩やかに下降する下り傾斜波形電圧を走査電極ＳＣｘ、ＳＣｙに印加する。
【００７４】
続くサブフィールドＳＦ２の書込み期間および維持期間の動作はサブフィールドＳＦ１の書込み期間および維持期間と同様である。
【００７５】
このようにして、本実施の形態においては、データ電極駆動回路４２、走査電極駆動回路４３および維持電極駆動回路４４を用いて図３に示した駆動電圧波形をデータ電極Ｄ１〜Ｄｍ、走査電極ＳＣ１〜ＳＣｎおよび維持電極ＳＵ１〜ＳＵｎに印加する。
【００７６】
そして、第１種サブフィールドの初期化期間において走査電極に下り傾斜波形電圧を印加するとともにデータ電極に第１の電圧０（Ｖ）を印加し、第２種サブフィールドの初期化期間において走査電極に下り傾斜波形電圧を印加するとともにデータ電極に第１の電圧よりも高い第２の電圧Ｖｇを印加することにより、強制初期化動作の回数を削減して黒輝度を抑えるとともに安定した書込み動作を行うことができる。
【００７７】
なお、本実施の形態においては、各走査電極、各フィールドのそれぞれに対して強制初期化動作を行うか否かを、上述した（規則１）、（規則２）にもとづき設定した。また、Ｎ≧５の場合には、（規則１）、（規則２）に加えて（規則３）にもとづき設定した。しかし本発明はこれに限定されるものではなく、条件を緩和した駆動についても適用することができる。例えば（規則２）の替わりに、
（規則２’）１つのフィールドで強制初期化動作を行う走査電極は、それぞれの走査電極群の中で１つまたは０である。
を適用してもよい。
【００７８】
また本発明は図３に示した駆動電圧波形に限定されるものではなく、強制初期化動作の回数を抑えた他の駆動電圧波形についても適用することができる。以下に他の駆動電圧波形の一例について説明する。
【００７９】
（実施の形態２）
図１０は、本発明の実施の形態２におけるプラズマディスプレイ装置の各電極に印加する駆動電圧波形図である。図１０には走査電極ＳＣ１、走査電極ＳＣ２、維持電極ＳＵ１〜ＳＵｎおよびデータ電極Ｄ１〜Ｄｍに印加する駆動電圧波形を、サブフィールドＳＦ１〜ＳＦ３について示している。なお図１０においても、走査電極ＳＣ１を有する放電セルで強制初期化動作を行い、走査電極ＳＣ２を有する放電セルでは強制初期化動作を行わないものとして説明する。
【００８０】
第１種サブフィールドＳＦ１の初期化期間の前半部および後半部は実施の形態１と同様である。すなわち前半部では、データ電極Ｄ１〜Ｄｍに電圧０（Ｖ）を印加し、維持電極ＳＵ１〜ＳＵｎにも電圧０（Ｖ）を印加する。そして強制初期化動作を行う走査電極ＳＣ１には、電圧Ｖｉ１から電圧Ｖｉ２まで緩やかに上昇する上り傾斜波形電圧を印加して微弱な初期化放電を発生させる。一方、強制初期化動作を行わない走査電極ＳＣ２には、電圧０（Ｖ）から電圧Ｖｉ５に向かって緩やかに上昇する上り傾斜波形電圧を印加する。初期化期間の後半部では、データ電極Ｄ１〜Ｄｍに電圧０（Ｖ）を印加し、維持電極ＳＵ１〜ＳＵｎには電圧Ｖｅを印加する。そして走査電極ＳＣ１〜ＳＣｎに電圧Ｖｉ３から電圧Ｖｉ４に向かって緩やかに下降する下り傾斜波形電圧を印加する。
【００８１】
実施の形態２においては、この後さらに異常電荷消去部を設けている。そして異常電荷消去部では、維持電極ＳＵ１〜維持電極ＳＵｎに電圧０（Ｖ）を印加するとともに走査電極ＳＣ１〜走査電極ＳＣｎには電圧Ｖｒまで緩やかに上昇する上り傾斜波形電圧を印加する。すると誤放電を発生するおそれのある異常電荷を有する放電セルでは微弱な消去放電が発生する。さらにその後、維持電極ＳＵ１〜維持電極ＳＵｎに電圧Ｖｅを印加し、走査電極ＳＣ１〜走査電極ＳＣｎには電圧０（Ｖ）から電圧Ｖｉ４に向かって緩やかに下降する下り傾斜波形電圧を印加する。すると異常電荷を有する放電セルでは再度微弱な放電が発生して書込み動作に適した壁電圧に調整される。なお異常電荷を有しない放電セルでは放電は発生しない。
【００８２】
このように異常電荷消去部を設けることで、さらに精度よく壁電圧を調整できるので、さらに安定した書込み放電を発生させることができる。
【００８３】
続くサブフィールドＳＦ１の書込み期間では、実施の形態１と同様であるので説明を省略する。
【００８４】
続くサブフィールドＳＦ１の維持期間では、実施の形態１と同様に、走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。
【００８５】
そして実施の形態２においては、その後に、維持電極ＳＵ１〜維持電極ＳＵｎに電圧０（Ｖ）を印加したまま、走査電極ＳＣ１〜走査電極ＳＣｎに電圧０（Ｖ）から電圧Ｖｉ４に向かって緩やかに下降する下り傾斜波形電圧を印加する。すると維持放電を発生した放電セルで微弱な放電が発生する。
【００８６】
そしてその後に、電圧Ｖｒに向かって緩やかに上昇する上り傾斜波形電圧を走査電極ＳＣ１〜ＳＣｎに印加する。すると維持放電を行った放電セルでは消去放電が発生して、走査電極ＳＣｉ上および維持電極ＳＵｉ上の壁電圧が弱められる。
【００８７】
第２種サブフィールドＳＦ２の初期化期間では、実施の形態１と同様である。すなわち、データ電極Ｄ１〜Ｄｍに正の電圧Ｖｇを印加する。また維持電極ＳＵ１〜ＳＵｎには電圧Ｖｅよりも高い電圧Ｖｈを印加する。そして走査電極ＳＣ１〜ＳＣｎには電圧Ｖｉ６に向かって緩やかに下降する下り傾斜波形電圧を印加する。ここでも、電圧Ｖｉ６は電圧Ｖｉ４と電圧Ｖｇとの和と同程度の電圧に設定されている。すると、直前のサブフィールドにおいて維持放電を発生した放電セルで微弱な初期化放電が発生し、走査電極ＳＣｉ上および維持電極ＳＵｉ上の壁電圧が弱められる。またデータ電極Ｄｋ上の壁電圧の過剰な部分が放電され、書込み動作に適した壁電圧に調整される。このようにして選択初期化動作が完了する。
【００８８】
続くサブフィールドＳＦ２の書込み期間の駆動電圧波形はサブフィールドＳＦ１の書込み期間と同様である。続くサブフィールドＳＦ２の維持期間の駆動電圧波形も維持パルス数を除きサブフィールドＳＦ１の維持期間と同じである。また第２種サブフィールドＳＦ３〜ＳＦ１０における駆動電圧波形も、維持パルス数を除きサブフィールドＳＦ２と同様である。
【００８９】
このように実施の形態２においても、第１種サブフィールドの初期化期間において走査電極に下り傾斜波形電圧を印加するとともにデータ電極に第１の電圧０（Ｖ）を印加し、第２種サブフィールドの初期化期間において走査電極に下り傾斜波形電圧を印加するとともにデータ電極に第１の電圧よりも高い第２の電圧Ｖｇを印加することにより、強制初期化動作の回数を削減して黒輝度を抑えるとともに安定した書込み動作を行うことができる。
【００９０】
なお、実施の形態１、２において示した具体的な数値等は単に一例を示したに過ぎず、本発明はこれらの数値に何ら限定されるものではなく、パネルの特性やプラズマディスプレイ装置の仕様等にあわせて最適に設定することが望ましい。
【産業上の利用可能性】
【００９１】
本発明は、強制初期化動作の回数を削減して黒輝度を抑えるとともに安定した書込み動作を行って、コントラストが高くかつ画像表示品質の高い画像表示が可能であり、パネルの駆動方法およびそれを用いたプラズマディスプレイ装置として有用である。
【符号の説明】
【００９２】
１０    パネル
２２    走査電極
２３    維持電極
２４    表示電極対
３２    データ電極
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
５０，８０    維持パルス発生回路
５１，８１    電力回収回路
６０    傾斜波形電圧発生回路
６１，６２，６３    ミラー積分回路
７０    走査パルス発生回路
８５    一定電圧発生回路
【図１】
2012083532.tif 000003
【図２】
2012083532.tif 000004
【図３】
2012083532.tif 000005
【図４】
2012083532.tif 000006
【図５】
2012083532.tif 000007
【図６】
2012083532.tif 000008
【図７】
2012083532.tif 000009
【図８】
2012083532.tif 000010
【図９】
2012083532.tif 000011
【図１０】
2012083532.tif 000012